(57)【要約】【課題】ＷＡＮ回線通信用プログラムなど、ＷＡＮ回線通信のための装置構成を不要にして機場間でデータの高速通信を可能にする。【解決手段】機場Ａの監視制御装置１Ａは、機場内装置２Ａ，３Ａ，４ＡにＬＡＮ内同報送信で監視データを送信し、機場内装置にＬＡＮ内個別送信で制御データを送信する。  遠方伝送装置４Ａは、監視データのうち、状態変化有りの監視データを抽出し、この抽出した監視データのみを他の機場にＷＡＮ送信する。  遠方伝送装置は、制御データに経路情報を付してＷＡＮ送信で他の機場に送信する。経路情報は、学習により設定する。【選択図】図１
2008020968.tif 000002
【特許請求の範囲】
【請求項１】
機場内の監視制御装置とシーケンサおよび遠方伝送装置間はＬＡＮ接続で監視データおよび制御データを送信し、他の機場とはＷＡＮ接続で監視データおよび制御データを送信する監視／制御データの通信方法であって、
前記監視制御装置は、機場内装置にＬＡＮ内同報送信で監視データを送信する過程と、機場内装置にＬＡＮ内個別送信で制御データを送信する過程を有し、
前記遠方伝送装置は、前記同報送信で受信した監視データのうち、状態変化有りの監視データを抽出し、この抽出した監視データのみを他の機場にＷＡＮ送信することを特徴とする監視／制御データの通信方法。
【請求項２】
前記遠方伝送装置は、前記監視制御装置から受信した制御データに経路情報を付してＷＡＮ送信で他の機場に送信する過程を有することを特徴とする請求項１に記載の監視／制御データの通信方法。
【発明の詳細な説明】
【技術分野】
【０００１】
本発明は、電力系統や水処理システムなどの大規模プラントの監視制御システムに係り、特に機場間をＷＡＮ接続した監視／制御データの通信方法に関する。
【背景技術】
【０００２】
プラントを監視制御するコンピュータシステム（以下監視制御装置と記す）のプラント監視情報の通信は、同一機場内に設置したシーケンサ等とのＬＡＮを介した通信と、他機場に設置したシーケンサ等とのＷＡＮを介した通信に大別できる。
【０００３】
ＬＡＮは一般的に広帯域であり、リアルタイムデータのやりとりに適しており、ＷＡＮは狭帯域であり、リアルタイムデータのやりとりには適さない。
【０００４】
機場間で監視が必要なときに利用されるＷＡＮを介した通信では、ＷＡＮの両端に遠方監視用の親装置、子装置を設置し、特に重要な情報をプラント個別に抽出して伝送を行う（例えば、特許文献１参照）。また、監視容量が小さく、狭帯域回線でも十分伝送可能な場合には、単純にＬＡＮとＷＡＮの橋渡しをする装置を用いて直接に伝送する。
【０００５】
ＬＡＮを介した通信では、広帯域のメリットを生かし、装置間が疎結合となるよう、各装置が常時現在値データを同報送信（同一ネットワークの全装置が受信可能な送信）することが多い。
【特許文献１】特開２００３−５８２３
【発明の開示】
【発明が解決しようとする課題】
【０００６】
図２は、機場間をＷＡＮで接続したシステム構成例を示す。機場Ａおよび機場Ｂはそれぞれコンピュータ構成の監視制御装置１Ａ，１Ｂとシーケンサ２Ａ，３Ａ、２Ｂ，３ＢをＬＡＮで接続して同じ機場内の監視対象設備・機器を監視制御する。また、監視制御装置１Ａ，１ＢにはＷＡＮ回線通信用プログラムを実装し、機場ＡとＢにはそれぞれ遠方伝送装置４Ａ，４ＢをＬＡＮで接続し、モデム構成のターミナルアダプタ５Ａ，５Ｂを介してＷＡＮ回線による通信を可能にする。
【０００７】
図２のように、規模の大きなプラントでは、機場間のデータの受け渡しをＷＡＮ回線で行う場合、ＷＡＮの帯域によって制限された情報のやりとりしか行えない。
【０００８】
また、狭帯域ＷＡＮによる通信を可能にするため、監視制御装置１Ａ，１ＢにはＷＡＮ回線通信用プログラムを実装し、このプログラムによってプラント固有のデータ構造やプラントにおける重要度により優先付け処理し、利用可能な帯域に見合った量のデータに変更するという特別の機能を用意する必要がある。
【０００９】
本発明の目的は、ＷＡＮ回線通信用プログラムなど、ＷＡＮ回線通信のための装置構成を不要にして機場間でデータの高速通信を可能にした監視／制御データの通信方法を提供することにある。
【課題を解決するための手段】
【００１０】
本発明は、前記の課題を解決するため、それぞれの機場で監視データの送信が必要な場合、機場内ＬＡＮ上での伝送は常時現在値同報送信で大きい伝送量で送信し、ＷＡＮとの接続点になる遠方伝送装置にはＬＡＮ上のデータを収集し、ＷＡＮ側に監視データに状態変化が有るときのみ、少ない伝送量になる監視データのみを送受信する。また、機場間で制御データの送信が必要な場合、ＬＡＮ−ＷＡＮ間の接続点に設置した遠方伝送装置が他機場側のネットワーク装置に対する経路情報を持つことにより、単純な伝送リレーのみにより他機場シーケンサへの制御送信を行う。したがって、本発明は、以下の方法を特徴とする。
【００１１】
（１）機場内の監視制御装置とシーケンサおよび遠方伝送装置間はＬＡＮ接続で監視データおよび制御データを送信し、他の機場とはＷＡＮ接続で監視データおよび制御データを送信する監視／制御データの通信方法であって、
前記監視制御装置は、機場内装置にＬＡＮ内同報送信で監視データを送信する過程と、機場内装置にＬＡＮ内個別送信で制御データを送信する過程を有し、
前記遠方伝送装置は、前記同報送信で受信した監視データのうち、状態変化有りの監視データを抽出し、この抽出した監視データのみを他の機場にＷＡＮ送信することを特徴とする。
【００１２】
（２）前記遠方伝送装置は、前記監視制御装置から受信した制御データに経路情報を付してＷＡＮ送信で他の機場に送信する過程を有することを特徴とする。
【００１３】
なお、前記経路情報は、学習により設定することを特徴とする。
【発明の効果】
【００１４】
以上のとおり、本発明によれば、機場内装置にＬＡＮ内同報送信で監視データを送信し、機場内装置にＬＡＮ内を個別送信で制御データを送信し、監視データのうち状態変化有りの監視データのみを他の機場にＷＡＮ送信すること、および制御データに経路情報を付してＷＡＮ送信で他の機場に送信することとしたため、ＷＡＮ回線通信用プログラムなど、ＷＡＮ回線通信のための装置構成を不要にして機場間でデータの高速通信が可能になる。具体的には、以下の効果がある。
【００１５】
（１）監視制御装置側にはＬＡＮ用の常時現在値受信のプログラムのみを実装・動作させ、狭帯域回線を介した監視が可能となる。
【００１６】
（２）ＬＡＮ−ＷＡＮ結合点に設置する遠方伝送装置は、状態変化したデータのみを送信するため、プラント固有のデータ構造やデータの重要度・優制順位を考慮する必要がない。
【００１７】
（３）同種のネットワーク構成を採る機場間を接続する場合、ＬＡＮ−ＷＡＮ結合点に設置する遠方伝送装置は他の装置と疎結合となり、他装置を運用したままで機場間を接続することができる。
【００１８】
（４）他機場のシーケンサに対する経路情報を学習し、自機場からの制御送信を単純中継することにより、制御送信の高速化を図ることができる。
【発明を実施するための最良の形態】
【００１９】
図１は、本発明の実施形態を示すデータ通信処理手順を示し、図２に示す構成で機場Ａにおける監視制御装置１Ａ、シーケンサ２Ａ，３Ａ、遠方伝送装置４Ａの処理を中心にして示す。
【００２０】
シーケンサ２Ａ，３Ａは、監視制御対象設備・機器から一定周期で現在値の監視データを収集し（Ｓ１，Ｓ２）、監視制御装置１Ａに送信する。監視制御装置１Ａは、監視データの送信を行うときに、機場内同報送信でシーケンサ２Ａ，３Ａおよび遠方伝送装置４ＡにＬＡＮ高速送信する（Ｓ３）。
【００２１】
遠方伝送装置４Ａは、収集した監視データについて、状態変化有りのデータを抽出し、このデータのみをＷＡＮ送信で機場Ｂに送信する（Ｓ４）。機場Ｂの遠方伝送装置４Ｂは、ＷＡＮを通して受信した監視データを機場Ｂ内のＬＡＮによる高速通信で監視制御装置１Ｂに送信する。
【００２２】
同様に、機場Ｂ内では監視データをＬＡＮ内高速送信を行い、この監視データから遠方伝送装置４Ｂで状態変化有りのデータのみを抽出してＷＡＮ送信で機場Ａ側に送信する。
【００２３】
したがって、双方の機場Ａ，Ｂで監視データの送信が必要な場合、機場内ＬＡＮ上での伝送は常時現在値同報送信（伝送量大）とし、ＷＡＮとの接続点になる遠方伝送装置４Ａ，４ＢにはＬＡＮ上のデータを収集し、ＷＡＮ側に監視データに状態変化が有るときのみ、この少ない伝送量になる監視データのみを送受信する（Ｓ５）。
【００２４】
次に、監視制御装置１Ａは、制御データの送信を必要とするときに、機場内では制御データをＬＡＮ内個別送信を行う（Ｓ６）。この制御データを機場Ｂに送信するとき、遠方伝送装置４Ａは、制御データに経路情報を付して機場Ｂ側にＷＡＮ送信する（Ｓ７）。機場Ｂの遠方伝送装置４Ｂは、受信した制御データがもつ経路情報が示す装置（シーケンサ２Ｂ，３Ｂなど）にＬＡＮ送信する。なお、経路情報は、予め設定しておくことができるが、制御データの送信先情報を基にした学習によって自動設定するのが好ましい。
【００２５】
同様に、機場Ｂから機場Ａに制御データを送信する場合には、遠方伝送装置４Ｂに送信された制御データに付された経路情報が示す装置（シーケンサ２Ａ，３Ａなど）にＬＡＮ送信する（Ｓ８）。
【００２６】
したがって、双方の機場Ａ，Ｂで制御データの送信が必要な場合、ＬＡＮ−ＷＡＮ間の接続点に設置した遠方伝送装置が他機場側のネットワーク装置に対する経路情報を持つことにより、単純な伝送リレーのみにより他機場シーケンサへの制御送信を行う。
【００２７】
以上のことから、本実施形態は、監視制御装置側にはＬＡＮ用の常時現在値受信のプログラムのみを実装・動作させ、狭帯域になるＷＡＮ回線を介した監視が可能となる。
【００２８】
また、ＬＡＮ−ＷＡＮ結合点に設置する遠方伝送装置は、状態変化したデータのみを送信するため、プラント固有のデータ構造やデータの重要度・優制順位を考慮する必要がない。
【００２９】
また、同種のネットワーク構成を採る機場間を接続する場合、ＬＡＮ−ＷＡＮ結合点に設置する遠方伝送装置は他方の装置と疎結合となり、他方の装置を運用したままで機場間を接続することができる。
【００３０】
また、他機場のシーケンサに対する経路情報を学習し、自機場からの制御送信を単純中継することにより、制御データの高速送信を図ることができる。
【図面の簡単な説明】
【００３１】
【図１】本発明の実施形態を示すデータ通信処理手順図。
【図２】機場間接続した監視制御システムの構成図。
【符号の説明】
【００３２】
１Ａ，１Ｂ  監視制御装置
２Ａ，２Ｂ、３Ａ，３Ｂ  シーケンサ
４Ａ，４Ｂ  遠方伝送装置
５Ａ，５Ｂ  モデム
【図１】
2008020968.tif 000003
【図２】
2008020968.tif 000004